(57)【要約】【課題】  簡易な構成で、ジグソーパズルの難易度を上げたり、積み木やブロックのような構成とすることが可能な玩具の提供。【解決手段】  複数のピース３，５，７，９から構成され、各ピース３，５，７，９は、複数の板体（１１，１３）、（１５，１７）、（１９，２１）、（２３，２５）が積層されて軸３１，３３，３９，４５にて回転可能とされている。各板体には、接続部２７，２９が一体に形成されており、接続部同士を適切に連結することで、一つの絵柄などを完成させる。【選択図】      図２
2008253465.tif 000002
【特許請求の範囲】
【請求項１】
互いに着脱可能な複数のピースを備える玩具であって、
一部または全部のピースは、複数の板体が積層されて構成されると共に、その積層された複数の板体が、積層方向に沿う軸まわりに回転可能とされており、
前記板体には、他のピースの板体と接続するための接続部が設けられている
ことを特徴とする玩具。
【請求項２】
異なる形状の板体を有して積層されたピースを備える
ことを特徴とする請求項１に記載の玩具。
【請求項３】
外周縁に沿って前記接続部が露出しない一つの形状に組み上げられるジグソーパズルとされる
ことを特徴とする請求項１または請求項２に記載の玩具。
【請求項４】
前記各板体は、発泡体で形成されている
ことを特徴とする請求項１から請求項３までのいずれかに記載の玩具。
【発明の詳細な説明】
【技術分野】
【０００１】
本発明は、複数のピースを互いに組み立てて遊ぶ玩具に関するものである。
【背景技術】
【０００２】
従来のジグソーパズルは、絵柄を見ながら板状の各ピースの場所を特定し、ピース同士を連結していく構成である。また、従来のジグソーパズルは、絵柄の内容を楽しみながら組み上げられるが、ピースの数や、絵柄の内容によって難易度を変えることができる。
【発明の開示】
【発明が解決しようとする課題】
【０００３】
しかしながら、従来のジグソーパズルでは、絵柄に基づきピースがどの位置のものであるかさえ分かれば、作り上げることができ、ピースの数や絵柄でしか難易度を変えることができず、慣れてくると面白みに欠けるものとなっていた。
【０００４】
本発明が解決しようとする課題は、簡易な構成で、ジグソーパズルの難易度を上げたり、積み木やブロックのような構成とすることが可能な玩具を提供することにある。
【課題を解決するための手段】
【０００５】
本発明は、前記課題を解決するためになされたものであり、請求項１に記載の発明は、互いに着脱可能な複数のピースを備える玩具であって、一部または全部のピースは、複数の板体が積層されて構成されると共に、その積層された複数の板体が、積層方向に沿う軸まわりに回転可能とされており、前記板体には、他のピースの板体と接続するための接続部が設けられていることを特徴とする玩具である。
【０００６】
請求項２に記載の発明は、異なる形状の板体を有して積層されたピースを備えることを特徴とする請求項１に記載の玩具である。
【０００７】
請求項３に記載の発明は、外周縁に沿って前記接続部が露出しない一つの形状に組み上げられるジグソーパズルとされることを特徴とする請求項１または請求項２に記載の玩具である。
【０００８】
さらに、請求項４に記載の発明は、前記各板体は、発泡体で形成されていることを特徴とする請求項１から請求項３までのいずれかに記載の玩具である。
【発明の効果】
【０００９】
本発明の玩具によれば、簡易な構成で、ジグソーパズルの難易度を上げたり、積み木やブロックのような構成とすることができる。
【発明を実施するための最良の形態】
【００１０】
以下、本発明の玩具について、図面に基づき詳細に説明する。
【実施例１】
【００１１】
図１は、本発明の玩具の実施例１を示す斜視図である。本実施例１の玩具は、ジグソーパズルである。また、図２は、図１のジグソーパズルを分解した状態を示す斜視図である。
【００１２】
本実施例１のジグソーパズル１は、図１および図２に示すように、形状の異なった４つのピース３，５，７，９から構成される。
【００１３】
各ピース３，５，７，９は、２枚の板体（１１，１３）、（１５，１７）、（１９，２１）、（２３，２５）が積層されて構成されており、各板体の少なくとも一の端辺部には接続部が一体に形成されている。
各接続部は、従来公知のジグソーパズルと同様に、円弧状などの凹凸に形成されており、接続部を構成する凸部と凹部は互いに対応した形状とされる。また、本実施例の板体は、ウレタンやポリエチレンなどの発泡体により形成されている。
【００１４】
本実施例では、各ピースの２枚の板体（１１，１３）、（１５，１７）、（１９，２１）、（２３，２５）は、同一形状とされ、各板体の厚みは同じとされている。
具体的には、４つのピース３，５，７，９のうち、左後方に配置される第一ピース３の板体１１，１３は、長方形状とされる。図１において、第一ピース３の板体１１，１３には、その前端部と右端部にそれぞれ接続部２７，２９が形成されている。本実施例では、板体１１，１３の右端部の中央部に、右側へ突出して凸部２７が形成されており、板体１１，１３の前端部に、２つの凹部２９が左右に離間してそれぞれ形成されている。
【００１５】
各板体１１，１３は、厚さ方向に重ね合わされて積層され、軸３１が積層方向（上下方向）に挿通される。軸３１は、丸棒状とされ、その基端部には径方向外側へ拡径して鍔部が形成されている。軸３１は、重ね合わされた２枚の板体１１，１３に積層方向に沿って挿通されて先端部がかしめられる。これにより、各板体１１，１３は、軸３１に回転可能に保持される。本実施例では、積層される上側の板体１１と下側の板体１３とは、周方向の一箇所でのみ一致する。
【００１６】
この第一ピース３の前方に配置される第二ピース５も、第一ピース３と同様の構成とされ、２枚の長方形状の板体１５，１７が積層されて、軸３３が積層方向に挿通され、各板体１５，１７が軸３３まわりに回転可能とされている。
第二ピース５の各板体１５，１７には、その後端部と右端部に接続部が形成されている。本実施例では、各板体１５，１７の後端部に、二つの凸部３５が左右に離間してそれぞれ形成されており、右端部の中央部に、凸部３７がそれぞれ形成されている。
【００１７】
第一ピース３の右側に配置される第三ピース７は、第一ピース３と同様に、２枚の正方形状の板体１９，２１が積層されて軸３９が積層方向に挿通され、各板体１９，２１が軸３９まわりに回転可能とされている。
第三ピース７の各板体１９，２１には、その左端部と前端部に接続部が形成されている。本実施例では、各板体１９，２１の左端部の中央部に、凹部４１がそれぞれ形成されており、前端部の中央部に凸部４３がそれぞれ形成されている。
【００１８】
この第三ピース７の前方に配置される第四ピース９は、第一ピース３と同様に、２枚の正方形状の板体２３，２５が積層されて軸４５が積層方向に挿通され、各板体２３，２５が軸４５まわりに回転可能とされている。
第四ピース９の各板体２３，２５には、その後端部と左端部に接続部が形成されている。本実施例では、板体２３，２５の後端部の中央部および左端部の中央部に、凹部４７，４９がそれぞれ形成されている。
【００１９】
各ピース３，５，７，９の上側の板体１１，１５，１９，２３の表面１１ａ，１５ａ，１９ａ，２３ａには、図柄、文字、または絵柄などが付されており、４つのピース３，５，７，９を組み合わせることで一つの図柄などが現れる。なお、各ピース３，５，７，９の下側の板体１３，１７，２１，２５の裏面１３ａ，１７ａ，２１ａ，２５ａにも図柄などが付されていてもよい。
【００２０】
本実施例では、各ピース３，５，７，９の上側の板体１１，１５，１９，２３と下側の板体１３，１７，２１，２５を軸３１，３３，３９，４５まわりに回転させて周方向の位置決めを行い各ピースの図柄を合わせた状態で、図１に示すように、一方のピースの凸部を他方のピースの凹部にはめ込むことで各ピース同士が接続される。
【００２１】
つまり、第一ピース３の右側の凸部２７を第三ピース７の左側の凹部４１にはめ込み、第二ピース５の後端部の凸部３５を第一ピース３の前端部の凹部２９にはめ込み、第四ピース９の後端部の凹部４７に第三ピース７の前端部の凸部４３をはめ込むと共に、第四ピース９の左側の凹部４９に第二ピース５の右側の凸部３７をはめ込むことで、ジグソーパズル１が完成する。
【００２２】
ここで、例えば、子供に遊ばせる前に、図２に示すように、各ピースの上側の板体と下側の板体を軸まわりに回転させて周方向の位置をずらしておけばよい。
このようにすることで、各ピースの上側の板体の絵柄を合わせて４つのピースの位置を決定する他に、下側の板体を回転させて周方向の位置決めを行わなければ各ピースの凸部と凹部をはめ込むことができない。これにより、単に絵柄を合わせるだけでなく、積み木やブロックのように組み合わせる要素が必要となり、従来に無い趣向のある玩具となる。
【００２３】
なお、本実施例１では、４つのピースでジグソーパズルを構成する場合について説明したが、さらに多くのピースで構成することも勿論可能であり、各ピースの板体の形状や接続部の位置は適宜変更可能である。また、一枚の板体から構成されるピースが含まれてもよい。
【実施例２】
【００２４】
図３は、本発明の玩具の実施例２を示す斜視図である。本実施例２の玩具は、実施例１と同様に、ジグソーパズルである。また、図４は、図３のジグソーパズルを分解した状態を示す斜視図である。本実施例２の玩具は、基本的には、実施例１と同様の構成であるので、異なる部分を中心に説明する。
【００２５】
本実施例２のジグソーパズル５１は、図３に示すように、形状の異なった４つのピース５３，５５，５７，５９から構成される。
【００２６】
各ピース５３，５５，５７，５９は、３枚の板体（６１，６３，６５）、（６７，６９，７１）、（７３，７５，７７）、（７９，８１，８３）が積層されて構成されており、各板体には接続部が一体に形成されている。
【００２７】
４つのピースのうち、左後方に配置される第一ピース５３は、上側の板体６１および下側の板体６５が同じ大きさの長方形状とされ、これらの各板体６１，６５に挟まれる中央の板体６３が正方形状とされる。
本実施例では、中央の板体６３は、上側および下側の板体６１，６５に対して左右寸法が略半分とされる。
【００２８】
この第一ピース５３の上側の板体６１には、図３および図４において、その前端部に２つの凹部８５が左右に離間して形成されており、右端部の中央部に凸部８７が形成されている。また、第一ピース５３の中央の板体６３には、図３および図４において、その前端部の中央部に凸部８９が形成されており、右端部の中央部に凹部９１が形成されている。さらに、第一ピース５３の下側の板体６５には、図３および図４において、その前端部に２つの凸部９３が左右に離間して形成されており、右端部の中央部に凹部９５が形成されている。
【００２９】
そして、３枚の板体６１，６３，６５は、厚さ方向に重ね合わされて積層され、軸９７が挿通されており、各板体６１，６３，６５は、軸９７に回転可能に保持されている。なお、中央の板体６３は、上側と下側の各板体６１，６５の左半分側に配置されている。
【００３０】
この第一ピース５３の前方に配置される第二ピース５５は、上側の板体６７および下側の板体７１が同じ大きさの長方形状とされ、これらの各板体６７，７１に挟まれる中央の板体６９が正方形状とされる。本実施例では、中央の板体６９は、上側および下側の板体６７，７１に対して左右寸法が略半分とされている。
【００３１】
この第二ピース５５の上側の板体６７には、図３および図４において、その後端部に２つの突部９９が左右に離間して形成されており、右端部の中央部に凸部１０１が形成されている。また、第二ピース５５の中央の板体６９には、図３および図４において、その後端部の中央部に凹部１０３が形成されており、右端部の中央部に凹部１０５が形成されている。さらに、第二ピース５５の下側の板体７１には、図３および図４において、その後端部に２つの凹部１０７が左右に離間して形成されており、右端部の中央部に凹部１０９が形成されている。
【００３２】
そして、３枚の板体６７，６９，７１は、厚さ方向に重ね合わされて積層され、軸１１１が挿通されており、各板体６７，６９，７１は、軸１１１に回転可能に保持されている。なお、中央の板体６９は、上側と下側の各板体６７，７１の左半分側に配置されている。
【００３３】
また、第一ピース５３の右側に配置される第三ピース５７は、上側の板体７３および下側の板体７７が同じ大きさの正方形状とされ、これらの各板体７３，７７に挟まれる中央の板体７５が長方形状とされる。本実施例では、上側および下側の板体７３，７７の左右寸法は、中央の板体７５の略半分とされている。
【００３４】
この第三ピース５７の上側の板体７３には、図３および図４において、その左端部の中央部に凹部１１３が形成されており、前端部の中央部に凸部１１５が形成されている。また、第三ピース５７の中央の板体７５には、図３および図４において、その前端部に２つの凹部１１７が左右に離間して形成されており、左端部の中央部に凸部１１９が形成されている。さらに、第三ピース５７の下側の板体７７には、図３および図４において、その前端部および左端部の中央部にそれぞれ凸部１２１，１２３が形成されている。
【００３５】
そして、３枚の板体７３，７５，７７は、厚さ方向に重ね合わされて積層され、軸１２５が挿通されており、各板体７３，７５，７７は、軸１２５に回転可能に保持されている。なお、上側と下側の各板体７３，７７は、中央の板体７５の右半分側に配置されている。
【００３６】
第三ピース５７の前方に配置される第四ピース５９は、上側の板体７９および下側の板体８３が同じ大きさの正方形状とされ、これらの各板体７９，８３に挟まれる中央の板体８１が長方形状とされる。本実施例では、上側および下側の各板体７９，８３の左右寸法は、中央の板体８１の略半分とされている。
【００３７】
この第四ピース５９の上側の板体７９には、図３および図４において、その後端部および左端部の各中央部に凹部１２７，１２９が形成されている。また、第四ピース５９の中央の板体８１には、図３および図４において、その後端部に２つの凸部１３１が左右に離間して形成されており、左端部の中央部に凸部１３３が形成されている。さらに、第四ピース５９の下側の板体８３には、図３および図４において、その後端部の中央部に凹部１３５が形成されており、左端部の中央部に凸部１３７が形成されている。
【００３８】
そして、３枚の板体７９，８１，８３は、厚さ方向に重ね合わされて積層され、軸１３９が挿通されて、各板体７９，８１，８３は、軸１３９に回転可能に保持されている。
【００３９】
各ピース５３，５５，５７，５９の上側の板体６１，６７，７３，７９の表面には、図柄や文字、絵柄が付されており、４つのピース５３，５５，５７，５９を組み合わせることで一つの図柄などが現れる。
【００４０】
本実施例２では、上記実施例１と同様に、各ピース５３，５５，５７，５９の各板体（６１，６３，６５）、（６７，６９，７１）、（７３，７５，７７）、（７９，８１，８３）を軸９７，１１１，１２５，１３９まわりに回転させて周方向の位置決めを行い各ピースの図柄を合わせて、図４に示すように、一方のピースの凸部を他方のピースの凹部にはめ込むことで各ピース同士が接続される。
【００４１】
また、本実施例２では、たとえば、第一ピース５３と第三ピース５７とを連結する際、第一ピース５３の上側の板体６１と下側の板体６５との間に、第三ピース５７の中央の板体７５の左端部を差し込んで凸部を凹部にはめ込むこととなり、実施例１のジグソーパズルより複雑な構造となる。
【００４２】
なお、本実施例２では、４つのピースでジグソーパズルを構成する場合について説明したが、さらに多くのピースで構成することも勿論可能であり、各ピースの板体の形状や接続部の位置は適宜変更可能である。
また、ピースの板体の積層枚数を４枚以上とすることも可能であり、さらに、各ピースの積層枚数を変えることで、凹凸のあるジグソーパズルとすることも可能となる。
【実施例３】
【００４３】
図５は、本発明の玩具の実施例３を示す図であり、一つのピースを示す斜視図である。本実施例３の玩具は、積み木やブロックのように自由な発想で組み合わせて遊ぶためのものである。また、図６は、図５のピースの平面図であり、図７は、図５のピースの中央の板体を回転させた状態を示す斜視図である。さらに、図８は、図７のＡ―Ａ断面図である。本実施例３の玩具は、基本的には、上記実施例１および実施例２と同様の構成であるので、以下では異なる部分を中心に説明する。
【００４４】
本実施例３のピース１４１は、同一形状の板体１４３が３枚積層されて構成されている。具体的には、板体１４３は、正方形状とされ、図６の状態において、前後端部の中央部に凸部１４５が形成されており、左右端部の中央部に凹部１４７がそれぞれ形成されている。この凸部１４５と凹部１４７は対応した形状とされる。各板体１４３は、厚さ方向（上下方向）に重ね合わされて積層され、板体の中央部に積層方向に沿って軸１４９が挿通されて、各板体１４３は、軸１４９に回転可能に保持される。
【００４５】
本実施例３のピース１４１，１４１同士は、一方のピース１４１の任意の板体１４３の凸部１４５を、他方のピース１４１の任意の板体１４３の凹部１４７にはめ込んでいくことで、順次連結していくことができ、多数のピース１４１を接続することが可能である。
また、ピース１４１の各板体１４３は、軸１４９まわりに回転可能なことにより、単にピース１４１同士を連結していくだけでなく、連結する向きを変えることができることで、多種の形状や模様を形成することができる。
【００４６】
本実施例３では、ピース１４１の板体１４３の積層枚数を３枚としたが、２枚や４枚以上としてもよい。また、積層される板体を同一形状としたが、異なる形状としてもよい。
たとえば、図９では、ピース１５１Ａ、１５１Ｂ、１５１Ｃは、接続部の無い端辺部を有する板体を備えると共に、板体の積層枚数が異なっている。このように、接続部の無い端辺部を有する板体を備えたピースや、板体の積層枚数の異なるピースなどを複数種類使用することで、さらに立体的で複雑なものを作り上げることが可能となる。また、積層される板体は、長方形状や正方形状などの組み合わせとしてもよい。典型的には、板体の前後および／または左右の寸法が整数倍のピースを一部に備えていてもよい。さらに、板体は、三角形状や円形状としてもよい。
【００４７】
本発明の玩具は、上記各実施例の構成に限らず、適宜変更可能である。
たとえば、上記各実施例では、軸を板体と別体としたが、積層される一の板体に軸状の突部を一体に形成し、他の板体の凹部にはめ込むことで、板体同士を回転可能としてもよい。また、板体の形状や積層枚数、および接続部の形状および位置などは適宜変更可能である。
【００４８】
また、ピースの板体同士を着脱可能としてもよい。たとえば、軸を有する板体と、穴を有する板体とを用いることでジグソーパズルなどにおいてさらに難易度を高めることができる。さらに、板体の厚みも適宜変更可能であり、板体は、厚さの大きいブロック状であってもよい。また、各実施例の板体は、ゴム、木材、紙、プラスチックおよび金属などで形成されてもよい。
【図面の簡単な説明】
【００４９】
【図１】本発明の玩具の実施例１を示す斜視図である。
【図２】図１のジグソーパズルを分解した状態を示す斜視図である。
【図３】本発明の玩具の実施例２を示す斜視図である。
【図４】図３のジグソーパズルを分解した状態を示す斜視図である。
【図５】本発明の玩具の実施例３を示す図であり、一つのピースを示す斜視図である。
【図６】図５のピースの平面図である。
【図７】図５のピースの中央の板体を回転させた状態を示す斜視図である。
【図８】図７のＡ―Ａ断面図である。
【図９】本発明の玩具を構成する複数種類のピースを組み立てた状態を示す図である。
【符号の説明】
【００５０】
１  ジグソーパズル
３，５，７，９  ピース
１１，１３  板体
１５，１７  板体
１９，２１  板体
２３，２５  板体
２７  接続部
２９  接続部
３１  軸
【図１】
2008253465.tif 000003
【図２】
2008253465.tif 000004
【図３】
2008253465.tif 000005
【図４】
2008253465.tif 000006
【図５】
2008253465.tif 000007
【図６】
2008253465.tif 000008
【図７】
2008253465.tif 000009
【図８】
2008253465.tif 000010
【図９】
2008253465.tif 000011